(57)【要約】【課題】刈払機を使用するときの利便性を向上させる。【解決手段】刈払機１０は、前後に延びる支持棹１１と、支持棹１１の前部に回転可能に設けた刈刃１６と、刈刃１６を回転させる電動モータ１４と、支持棹１１の後部に設けたリアハウジング２１と、リアハウジング２１に着脱可能に取り付けられて、電動モータ１４に電力を供給するバッテリパック２２とを備え、リアハウジング２１には開口部２３ａから刈払機１０に用いる器具としての交換用の刈刃１６を挿入して収納する収納部２３を設け、開口部２３ａと対向する位置にバッテリパック２２を配置した。【選択図】図３
2019062764.tif 000002
【特許請求の範囲】
【請求項１】
前後に延びる支持棹と、
前記支持棹の前部に回転可能に設けた刈刃と、
前記刈刃を回転させる電動モータと、
前記支持棹の後部に設けたリアハウジングと、
前記リアハウジングに着脱可能に取り付けられて、前記電動モータに電力を供給するバッテリパックとを備えた刈払機であって、
前記リアハウジングには開口部から前記刈払機に用いる器具を挿入して収納する収納部を設け、
前記開口部と対向する位置に前記バッテリパックを配置したことを特徴とする刈払機。
【請求項２】
請求項１に記載の刈払機において、
前記バッテリパックを前記リアハウジングに取り付けた取付状態であるときに、前記器具は前記収納部に挿入及び引出しが規制された状態となり、
前記バッテリパックを前記リアハウジングから取り外した取外し状態であるときに、前前記器具は前記収納部に挿入及び引出し可能な状態となるようにしたことを特徴とする刈払機。
【請求項３】
請求項１または２に記載の刈払機において、
前記刈払機に用いる器具は細長い板形ブレードよりなる前記刈刃であり、
前記板形ブレードよりなる前記刈刃は基端部が前記支持棹の前端部に着脱可能に取り付けられ、基端部よりも先端側を刃部としたものであって、
前記刃部が前記収納部に収納されるようにしたことを特徴とする刈払機。
【発明の詳細な説明】
【技術分野】
【０００１】
本発明は、芝、草等を刈り払う刈払機に関する。
【背景技術】
【０００２】
特許文献１には、芝、草等を刈り払う刈払機が開示されている。特許文献１及び２の刈払機は、支持棹の前端部に設けたモータハウジングと、モータハウジングの内部に設けた電動モータと、モータハウジングの下側に回転可能に設けた刈刃と、支持棹の後端部に設けたコントロールハウジングと、コントロールハウジングに着脱可能に取り付けられるバッテリパックとを備え、支持棹の前端部の刈刃はバッテリパックからの給電を受けた電動モータの駆動によって回転する。また、支持棹の前後方向の中間部には前側ハンドルと、コントロールハウジングの後部には後側ハンドルとが設けられており、後側ハンドルには電動モータを駆動させるスイッチが設けられている。
【０００３】
作業者がこの刈払機で芝、草等を刈り払う作業をするときには、作業者は一方の手で前側ハンドルを把持し、他方の手で後側ハンドルを把持し、後側ハンドルを把持した他方の手指でスイッチをオン操作して刈刃を回転させ、両ハンドルを操作して回転する刈刃を地面に沿って揺動させ、地面に生える草等を刈り払うことができる。
【先行技術文献】
【特許文献】
【０００４】
【特許文献１】特開２０１３−０３４４０４号公報
【発明の概要】
【発明が解決しようとする課題】
【０００５】
上記の特許文献１に記載の刈払機では種々の刈刃が用いられており、樹脂製の板形ブレードを刈刃として用いることがある。樹脂製の板形ブレードよりなる刈刃は芝や草等の刈払い作業により摩耗するために、刈刃を摩耗状態によって適宜交換する必要がある。しかし、このような刈払機を用いて芝、草等を刈り払う作業をしているときに、作業者が常に交換用の刈刃を持ち歩くのは面倒であった。本発明は、刈払機を使用するときの利便性を向上させることを提供することを目的とする。
【課題を解決するための手段】
【０００６】
上記課題を解決するために、本発明は、前後に延びる支持棹と、支持棹の前端部に回転可能に設けた刈刃と、刈刃を回転させる電動モータと、支持棹の後端部に設けたリアハウジングと、リアハウジングに着脱可能に取り付けられて、電動モータに電力を供給するバッテリパックとを備えた刈払機であって、リアハウジングには開口部から刈払機に用いる器具を挿入して収納する収納部を設け、開口部と対向する位置にバッテリパックを配置したことを特徴とする刈払機を提供するものである。
【０００７】
上記のように構成した刈払機においては、リアハウジングには開口部から刈払機に用いる器具を挿入して収納する収納部を設け、開口部と対向する位置にバッテリパックを配置したので、刈払機に用いる器具を携帯できるようになり、刈払機を使用するときの利便性が向上した。また、開口部と対向する位置にバッテリパックが配置されているので、刈払機を用いた作業をしているときに、器具が収納部から落下しないようにすることができた。
【０００８】
上記のように構成した刈払機においては、バッテリパックをリアハウジングに取り付けた取付状態であるときに、器具は収納部に挿入及び引出しが規制された状態となり、バッテリパックをリアハウジングから取り外した取外し状態であるときに、器具は収納部に挿入及び引出し可能な状態とするのが好ましい。バッテリパックをリアハウジングに取り付けたときには、刈刃はバッテリパックの給電を受けた電動モータの駆動により回転可能な状態であり、刈払機によって刈り払い作業ができる状態となる。この状態では、器具は収納部に挿入及び引出しできない状態であり、刈払機を用いた作業をしているときに、器具を収納部から落下しないようにすることができた。また、バッテリパックをリアハウジングから取り外したときには、刈刃は電動モータが非作動状態であるために回転しない状態であり、刈払機によって刈払い作業ができない状態となる。この状態では、器具は収納部に挿入及び引出すことができる状態であり、器具を引出して刈払機のメンテナンス等をするときに、刈刃を誤って回転させることがないので、刈払機の安全性を向上させることができた。
【０００９】
上記のように構成した刈払機においては、刈払機に用いる器具は細長い板形ブレードよりなる刈刃であり、板形ブレードよりなる刈刃は基端部が支持棹の前端部に着脱可能に取り付けられ、基端部よりも先端側を刃部としたものであって、刃部が収納部に収納されるようにするのが好ましい。このようにしたときには、刈払機を用いて芝、草等を刈り払う作業をしているときに、収納部に収納した刈刃の刃部が作業者に接触しないようになり、刈払機の安全性を向上させることができた。
【図面の簡単な説明】
【００１０】
【図１】本発明の刈払機の斜視図である。
【図２】刈払機の右側面図である。
【図３】図２の後部を拡大した右側面図である。
【図４】リアハウジングの右半部を取り外して図３の収納部を示すようにした一部拡大分解図である。
【図５】バッテリパックをコントロールハウジングから取り外した状態の図３に相当する右側面図である。
【発明を実施するための最良の形態】
【００１１】
以下に、本発明の刈払機の一実施形態を添付図面を参照して説明する。図１に示したように、刈払機１０は、前後方向に延びる細長い円筒形をした支持棹１１と、支持棹１１の前端部にフロントユニット１２と、支持棹１１の後端部にリアユニット２０とを備えている。
【００１２】
図１及び図２に示したように、フロントユニット１２は支持棹１１の前端部（前部）に固定されたフロントハウジング（モータハウジング）１３と、フロントハウジング１３内に設けた電動モータ１４とを備えている。電動モータ１４の駆動によって回転する回転軸（図示省略）はフロントハウジング１３から下側に突出して設けられている。回転軸には基板１５を介して刈刃１６が着脱可能に取り付けられている。図５に示したように、この実施形態の刈刃１６は円弧形をした樹脂製の細長い板形ブレードを用いたものであり、刈刃１６は基端部１６ａが基板１５を介して回転軸に取り付けられ、基端部１６ａより先端側の外周が刃部１６ｂとなっている。
【００１３】
図１及び図２に示したように、支持棹１１の前端部（前部）には刈刃１６の後側を覆うカバー１７が設けられており、カバー１７はフロントハウジング１３を介して支持棹１１の前端部に取り付けられている。カバー１７は刈刃１６により切断した芝や草が作業者側に飛散するのを防止するものである。支持棹１１の前端部には刈刃１６の回転範囲の前縁部よりも前方に突出して設けたワイヤガード１８が設けられており、ワイヤガード１８はワイヤ等の金属線材を屈曲させたものである。ワイヤガード１８は回転する刈刃１６が建物等の構造物に接触するのを防ぐ機能を有している。
【００１４】
図１〜図３に示したように、リアユニット２０は支持棹１１の後端部（後部）に固定したリアハウジング（コントロールハウジング）２１と、リアハウジング２１内に電動モータ１４の作動を制御するコントローラ（図示省略）とを備えている。また、リアハウジング２１の後側下部には電動モータ１４に給電するバッテリパック２２が着脱可能に取り付けられており、バッテリパック２２は支持棹１１内に配設した電気コードによって電動モータ１４に接続されている。このバッテリパック２２はリアハウジング２１に前後にスライド移動可能に取り付けられており、リアハウジング２１に取り付けた取付状態のバッテリパック２２を後側に引き出すことで、リアハウジング２１からバッテリパック２２を取り外すことができる。
【００１５】
図３及び図４に示したように、リアハウジング２１の前側下部には収納部２３が設けられており、この収納部２３は刈払機１０に用いる器具として上述した刈刃１６が収納可能となっている。収納部２３は刈刃１６の刃部１６ｂの全てを内部に収納可能な大きさとなっている。収納部２３には後方に開く開口部２３ａが形成されており、刈刃１６は開口部２３ａから収納部２３に挿入及び引出し可能となっている。また、開口部２３ａの直ぐ後側に対向する位置にはリアハウジング２１に取付状態としたバッテリパック２２が配置されている。収納部２３の開口部２３ａと取付状態のバッテリパック２２の後面との間隔は刈刃１６の長さより短くなっており、刈刃１６は取付状態のバッテリパック２２によって開口部２３ａから収納部２３に挿入及び引出しが規制されている。
【００１６】
図５に示したように、バッテリパック２２をリアハウジング２１の下部から後側にスライド移動させて取り外すと、刈刃１６を収納部２３の開口部２３ａから引出し可能とすることができる。刈刃１６を交換するときには、刈刃１６を図５に示したように後側に引出し、引出した刈刃１６を回転軸に取り付けた基板１５に取り付ける。刈刃１６を収納部２３に挿入するときには、バッテリパック２２をリアハウジング２１の下部から取り外した取外し状態で、刈刃１６を開口部２３ａから収納部２３に差し込んで挿入する。バッテリパック２２をリアハウジング２１の下部に再び取り付けると、収納部２３に挿入した刈刃１６は収納部２３から引出されるのが規制された状態となる。
【００１７】
支持棹１１の前後方向の中間部にはループ形をした（環状の）前側ハンドル３１が設けられ、リアハウジング２１の後部には後側ハンドル３２が一体的に設けられている。後側ハンドル３２には電動モータ１４を駆動させるスイッチ３３が設けられており、電動モータ１４はスイッチ３３のオン操作によってバッテリパック２２からの給電を受けて駆動する。
【００１８】
上記のように構成した刈払機１０を用いた草等の刈り払い作業について説明する。作業者は一方の手で前側ハンドル３１を把持し、他方の手で後側ハンドル３２を把持する。後側ハンドル３２を把持した他方の手指でスイッチ３３をオン操作して刈刃１６を回転させ、作業者は両ハンドル３１，３２を操作して回転する刈刃１６を地面に沿って揺動させ、地面に生える草等を刈り払うことができる。
【００１９】
上記のように構成した刈払機１０においては、リアハウジング２１には開口部２３ａから刈払機１０に用いる器具として交換用の刈刃１６を挿入して収納する収納部２３を設け、開口部２３ａと対向する位置にバッテリパック２２を配置した。このようにしたことで、刈払機１０に用いる器具として交換用の刈刃１６を常に携帯できるようになり、刈刃１６を交換するときに、刈払機１０の作業現場から交換用の刈刃１６を取りに戻らなくてもよくなって、刈払機１０を使用するときの利便性が向上した。また、開口部２３ａと対向する位置にバッテリパック２２が配置されているので、刈払機１０を用いた刈払い作業をしているときに、交換用の刈刃１６が収納部２３から落下しないようにすることができた。
【００２０】
バッテリパック２２をリアハウジング２１に取り付けた取付状態であるときに、交換用の刈刃１６は収納部２３に挿入及び引出しが規制された状態となり、バッテリパック２２をリアハウジング２１から取り外した取外し状態であるときに、交換用の刈刃１６は収納部２３に挿入及び引出し可能な状態とした。バッテリパック２２をリアハウジング２１に取り付けたときには、刈刃１６はバッテリパック２２の給電を受けた電動モータ１４によって回転可能な状態であり、刈払機１０によって刈り払い作業ができる状態となる。この状態では、刈刃１６は収納部２３に挿入及び引出しできない状態であり、刈払機１０を用いた作業をしているときに、刈刃１６を収納部２３から落下しないようにすることができた。また、バッテリパック２２をリアハウジング２１から取り外した取外し状態としたときには、刈刃１６は電動モータ１４が非作動状態であるために回転しない状態であり、刈払機１０によって刈払い作業ができない状態となる。この状態では、交換用の刈刃１６は収納部２３に挿入及び引出すことができる状態であり、交換用の刈刃１６を引出して刈払機１０のメンテナンス等をするときに、基板１５に取り付けた刈刃１６を誤って回転させることがないので、刈払機１０の安全性を向上させることができた。
【００２１】
この実施形態では、刈払機１０に用いる器具として、細長い板形ブレードよりなる刈刃１６を用い、板形ブレードよりなる刈刃１６は基端部１６ａが支持棹の前端部に着脱可能に取り付けられ、基端部１６ａよりも先端側を刃部１６ｂとしたものである。この刈刃１６を収納部２３に収納させたときには、刃部１６ｂが外側に露出しないように収納部２３に収納されている。これにより、刈払機１０を用いて芝、草等を刈り払う作業をしているときに、収納部２３に収納した刈刃１６の刃部１６ｂが作業者に接触しないようになり、刈払機１０の安全性を向上させることができた。
【００２２】
上記の実施形態の刈払機１０においては、収納部２３には刈払機１０に用いる器具として刈刃１６を収納するようにした。本発明はこれに限られるものでなく、収納部２３には収納する他の器具として、刈払機１０のメンテナンスや刈刃１６の交換に用いるレンチ、ドライバー等の器具を収納するようにしてもよい。この場合に、収納部２３に収納する他の器具は長い棒状の器具や長い板状の器具であることが好ましい。
【００２３】
上記のように構成した刈払機においては、刈刃１６には円弧形をしたブレードを用いたが、本発明はこれに限られるものでなく、紐状のナイロンコードよりなる回転刃や、円板の周部に刃部を有した回転刃を用いたものであってもよい。
【符号の説明】
【００２４】
１０…刈払機、１１…支持棹、１４…電動モータ、１６…刈刃（器具）、１６ａ…基端部、１６ｂ…刃部、２１…リアハウジング、２２…バッテリパック、２３…収納部。
【図１】
2019062764.tif 000003
【図２】
2019062764.tif 000004
【図３】
2019062764.tif 000005
【図４】
2019062764.tif 000006
【図５】
2019062764.tif 000007